(57)【特許請求の範囲】
【請求項１】
オーディオ信号や画像信号などのような時間の経過と共に、情報の内容が変わる時系列信号としての情報信号を、少なくとも前記情報信号の標準再生時間よりも短縮された時間で複製した後、予め定められる一定期間は記録機能に制限を加えるようにする情報信号複製制限方法であって、
前記情報信号の複製実行期間と、前記複製実行期間に続く前記一定期間とを合わせた期間が、前記情報信号を前記情報信号の標準再生時間に等しい時間で複製するようにした場合の複製にかかる期間以上となるようにすることを特徴とする情報信号複製制限方法。
【請求項２】
前記記録機能の制限として、複製した前記情報信号の識別情報を前記一定期間保持し、前記一定期間内においては、同じ識別情報を有する情報信号の複製を禁止することを特徴とする請求項１に記載の情報信号複製制限方法。
【請求項３】
オーディオ信号や画像信号などのような時間の経過と共に、情報の内容が変わる時系列信号としての情報信号を、少なくとも前記情報信号の標準再生時間よりも短縮された時間で複製した後、予め定められる一定期間は記録機能に制限を加えるようにする情報信号複製制限方法であって、
前記記録機能の制限として、複製した前記情報信号の識別情報を前記一定期間保持し、前記一定期間内においては、同じ識別情報を有する情報信号の複製を禁止することを特徴とする情報信号複製制限方法。
【請求項４】
前記記録機能の制限として、前記一定期間内においては、記録機能を不能にして、情報信号の複製を禁止することを特徴とする請求項１に記載の情報信号複製制限方法。
【請求項５】
オーディオ信号や画像信号などのような時間の経過と共に、情報の内容が変わる時系列信号としての情報信号を、少なくとも前記情報信号の標準再生時間よりも短縮された時間で複製した後、予め定められる一定期間は記録機能に制限を加えるようにする情報信号複製制限方法であって、
前記記録機能の制限として、前記一定期間内においては、記録機能を不能にして、情報信号の複製を禁止することを特徴とする情報信号複製制限方法。
【請求項６】
オーディオ信号や画像信号などのような時間の経過と共に、情報の内容が変わる時系列信号としての情報信号を出力する情報信号出力装置と、前記情報信号出力装置からの前記情報信号を複製する情報信号記録装置とからなり、前記情報信号出力装置からの前記情報信号を前記情報信号の標準再生時間よりも短縮された時間で複製する情報信号複製制御システムであって、
前記情報信号出力装置は、
前記情報信号とともに、この情報信号の標準再生時間を示す情報を出力するものであり、
前記情報信号記録装置は、
前記情報信号出力装置からの伝送データから、前記標準再生時間を示す情報を抽出する標準再生時間抽出手段と、
少なくとも前記情報信号を前記情報信号の標準再生時間よりも短縮された時間で複製する場合に、この複製の開始時点からの、複製実行期間と、予め定められた一定期間とを合わせた期間を計測するようにする手段であって、前記標準再生時間抽出手段により抽出された前記標準再生時間を示す情報により示される前記情報信号を前記標準再生時間に等しい時間で複製するようにした場合の複製にかかる期間以上の期間を、前記複製実行期間と、前記一定期間とを合わせた期間として計測する期間計測手段と、
前記情報信号の複製終了後、前記期間計測手段により計測される前記一定期間内においては、記録機能に制限を加えるようにする記録機能制御手段と
を備えることを特徴とする情報信号複製制御システム。
【請求項７】
オーディオ信号や画像信号などのような時間の経過と共に、情報の内容が変わる時系列信号としての情報信号を出力する情報信号出力装置と、前記情報信号出力装置からの前記情報信号を複製する情報信号記録装置とからなり、前記情報信号出力装置からの前記情報信号を前記情報信号の標準再生時間よりも短縮された時間で複製する情報信号複製制御システムであって、
前記情報信号出力装置は、
前記情報信号とともに、記録機能に制限を加える記録制限期間に関する情報を出力するものであり、
前記情報信号記録装置は、
前記情報信号出力装置からの伝送データから、前記記録制限期間に関する情報を抽出する記録制限期間抽出手段と、
少なくとも前記情報信号を前記情報信号の標準再生時間よりも短縮された時間で複製する場合に、この複製の開始時点からの、複製実行期間と、予め定められた一定期間とを合わせた期間を計測するようにする手段であって、前記記録制限期間抽出手段により抽出された前記記録制限期間に関する情報により示される期間を、前記複製実行期間と、前記一定期間とを合わせた期間として計測する期間計測手段と、
前記情報信号の複製終了後、前記期間計測手段により計測される前記一定期間内においては、記録機能に制限を加えるようにする記録機能制御手段と
を備えることを特徴とする情報信号複製制御システム。
【請求項８】
前記情報信号出力装置は、
前記情報信号とともに、前記情報信号の識別情報を出力するものであり、
前記情報信号記録装置は、
前記情報信号の前記識別情報を検出する識別情報検出手段と、
前記情報信号を複製する場合に、前記識別情報検出手段からの前記識別情報を前記一定期間保持するメモリと
を備え、
前記情報信号記録装置の前記記録機能制御手段は、前記期間計測手段により計測される前記一定期間内においては、前記メモリに記憶されている前記識別情報と同じ識別情報の情報信号については複製を禁止するように制御することを特徴とする請求項６または請求項７に記載の情報信号複製制御システム。
【請求項９】
オーディオ信号や画像信号などのような時間の経過と共に、情報の内容が変わる時系列信号としての情報信号を出力する情報信号出力装置と、前記情報信号出力装置からの前記情報信号を複製する情報信号記録装置とからなり、前記情報信号出力装置からの前記情報信号を前記情報信号の標準再生時間よりも短縮された時間で複製する情報信号複製制御システムであって、
前記情報信号出力装置は、
前記情報信号とともに、前記情報信号の識別情報を出力するものであり、
前記情報信号記録装置は、
前記情報信号の前記識別情報を検出する識別情報検出手段と、
前記情報信号を複製する場合に、前記識別情報検出手段からの前記識別情報を前記一定期間保持するメモリと、
少なくとも前記情報信号を前記情報信号の標準再生時間よりも短縮された時間で複製する場合に、この複製の開始時点からの、複製実行期間と、予め定められた一定期間とを合わせた期間を計測するようにする期間計測手段と、
前記情報信号の複製終了後、前記期間計測手段により計測される前記一定期間内においては、記録機能に制限を加えるようにする手段であって、前記期間計測手段により計測される前記一定期間内においては、前記メモリに記憶されている前記識別情報と同じ識別情報の情報信号については複製を禁止するように制御する記録機能制御手段と
を備えることを特徴とする情報信号複製制御システム。
【請求項１０】
前記情報信号記録装置の前記記録機能制御手段は、前記期間計測手段により計測される前記一定期間内においては、記録機能を不能にして、情報信号の複製を禁止するように制御することを特徴とする請求項６または請求項７に記載の情報信号複製制御システム。
【請求項１１】
オーディオ信号や画像信号などのような時間の経過と共に、情報の内容が変わる時系列信号としての情報信号を出力する情報信号出力装置と、前記情報信号出力装置からの前記情報信号を複製する情報信号記録装置とからなり、前記情報信号出力装置からの前記情報信号を前記情報信号の標準再生時間よりも短縮された時間で複製する情報信号複製制御システムであって、
前記情報信号記録装置は、
少なくとも前記情報信号を前記情報信号の標準再生時間よりも短縮された時間で複製する場合に、この複製の開始時点からの、複製実行期間と、予め定められた一定期間とを合わせた期間を計測するようにする期間計測手段と、
前記情報信号の複製終了後、前記期間計測手段により計測される前記一定期間内においては、記録機能に制限を加えるようにする手段であって、前記期間計測手段により計測される前記一定期間内においては、記録機能を不能にして、情報信号の複製を禁止するように制御する記録機能制御手段と
を備えることを特徴とする情報信号複製制御システム。
【請求項１２】
オーディオ信号や画像信号などのような時間の経過と共に、情報の内容が変わる時系列信号としての情報信号と前記情報信号の標準再生時間を示す情報との供給を受けて、少なくとも前記情報信号を前記情報信号の前記標準再生時間よりも短縮された時間で複製するようにする情報信号記録装置であって、
前記標準再生時間を示す情報を抽出する標準再生時間抽出手段と、
複製の開始時点から、複製実行期間と、予め定められた一定期間とを合わせた期間を計測するようにする手段であって、前記標準再生時間抽出手段により抽出された前記標準再生時間を示す情報により示される前記情報信号を前記情報信号の標準再生時間に等しい時間で複製するようにした場合の複製にかかる期間以上の期間を、前記複製実行期間と、前記一定期間とを合わせた期間として計測する期間計測手段と、
前記情報信号の複製終了後、前記期間計測手段により計測される前記一定期間内においては、記録機能に制限を加えるようにする記録機能制御手段と
を備えることを特徴とする情報信号記録装置。
【請求項１３】
オーディオ信号や画像信号などのような時間の経過と共に、情報の内容が変わる時系列信号としての情報信号と記録機能に制限を加える期間である記録制限期間に関する情報との供給を受けて、少なくとも前記情報信号を前記情報信号の標準再生時間よりも短縮された時間で複製するようにする情報信号記録装置であって、
前記記録制限期間に関する情報を抽出する記録制限期間抽出手段と、
複製の開始時点から、複製実行期間と、予め定められた一定期間とを合わせた期間を計測するようにする手段であって、前記記録制限期間抽出手段により抽出された前記記録制限期間に関する情報により示される期間が、前記情報信号の複製開始時点から、前記複製実行期間と、前記一定期間とを合わせた期間となるように計測する期間計測手段と、
前記情報信号の複製終了後、前記期間計測手段により計測される前記一定期間内においては、記録機能に制限を加えるようにする記録機能制御手段と
を備えることを特徴とする情報信号記録装置。
【請求項１４】
前記情報信号とともに、前記情報信号の識別情報が供給されるようにされており、
前記情報信号の前記識別情報を検出する識別情報検出手段と、
前記情報信号を複製する場合に、前記識別情報検出手段からの前記識別情報を前記一定期間保持するメモリと
を備え、
前記記録機能制御手段は、前記期間計測手段により計測される前記一定期間内においては、前記メモリに記憶されている前記識別情報と同じ識別情報の情報信号については複製を禁止するように制御することを特徴とする請求項１２または請求項１３に記載の情報信号記録装置。
【請求項１５】
オーディオ信号や画像信号などのような時間の経過と共に、情報の内容が変わる時系列信号としての情報信号と前記情報信号の識別情報との供給を受けて、少なくとも前記情報信号を前記情報信号の標準再生時間よりも短縮された時間で複製するようにする情報信号記録装置であって、
前記情報信号の前記識別情報を検出する識別情報検出手段と、
前記情報信号を複製する場合に、前記識別情報検出手段からの前記識別情報を前記一定期間保持するメモリと、
複製の開始時点から、複製実行期間と、予め定められた一定期間とを合わせた期間を計測するようにする期間計測手段と、
前記情報信号の複製終了後、前記期間計測手段により計測される前記一定期間内においては、記録機能に制限を加えるようにする手段であって、前記期間計測手段により計測される前記一定期間内においては、前記メモリに記憶されている前記識別情報と同じ識別情報の情報信号については複製を禁止するように制御する記録機能制御手段と
を備えることを特徴とする情報信号記録装置。
【請求項１６】
前記記録機能制御手段は、前記期間計測手段により計測される前記一定期間内においては、記録機能を不能にして、情報信号の複製を禁止するように制御することを特徴とする請求項１２または請求項１３に記載の情報信号記録装置。
【請求項１７】
オーディオ信号や画像信号などのような時間の経過と共に、情報の内容が変わる時系列信号としての情報信号の供給を受けて、少なくとも前記情報信号を前記情報信号の標準再生時間よりも短縮された時間で複製する場合に、当該複製の開始時点から、複製実行期間と、予め定められた一定期間とを合わせた期間を計測するようにする期間計測手段と、
前記情報信号の複製終了後、前記期間計測手段により計測される前記一定期間内においては、記録機能に制限を加えるようにする手段であって、前記期間計測手段により計測される前記一定期間内においては、記録機能を不能にして、情報信号の複製を禁止するように制御する記録機能制御手段と
を備えることを特徴とする情報信号記録装置。
【発明の詳細な説明】
【０００１】
【発明の属する技術分野】
この発明は、例えば、オーディオ信号や画像信号などの情報信号を複製（コピー）する場合の情報信号複製制限方法、この方法を用いた情報信号複製制御システムおよび情報信号記録装置に関する。
【０００２】
【従来の技術】
近年、インターネット、コンパクトディスク（ＣＤ）、デジタルビデオディスク（ＤＶＤ）などのデジタルコンテンツの普及に伴い、このデジタルコンテンツについての違法な複製による著作権侵害が問題となっている。そこで、この問題に対処するため、デジタルコンテンツに複製制御のための情報を付加し、この付加情報を用いて、違法な複製を防止することが考えられている。
【０００３】
この複製の防止のための制御としては、情報ソースに応じて、例えば、全く複製を認めないようにする方式や、１回は複製を認めるが、１回複製されたものからの複製を禁止する方式（世代制限の複製制御方式）などが考えられている。前者は、例えばＤＶＤ−ＲＯＭのように、コンテンツメーカが作成して販売するオリジナルソフトの場合などに適用される。後者の世代制限の複製制御方式は、例えば放送メディアにおいて、放送される情報の場合などに適用される。
【０００４】
後者の世代制限の複製制御方式の場合には、有効に複製世代の制御ができる方式が望まれている。この複製世代の管理が行える複製制御情報の方式としては、オーディオ信号についてのＳＣＭＳ（Ｓｅｒｉａｌ  Ｃｏｐｙ  Ｍａｎａｇｅｍｅｎｔ  Ｓｙｓｔｅｍ）方式や、画像信号についてのＣＧＭＳ（Ｃｏｐｙ  Ｇｅｎｅｒａｔｉｏｎ  Ｍａｎａｇｅｍｅｎｔ  Ｓｙｓｔｅｍ）方式が提案されている。
【０００５】
ＳＣＭＳ方式は、デジタルオーディオ信号とともに伝送するようにされるコピー禁止／許可フラグや、例えば、コンパクトディスク（ＣＤ）、デジタルオーディオテープ（ＤＡＴ）などのデジタル音声システムの種類を表すカテゴリーコードを用いて、１回だけのデジタルコピーができるようにするシリアルコピーの制御を行う方式である。
【０００６】
すなわち、このＳＣＭＳ方式の場合には、デジタルオーディオ信号とともに伝送するようにされるコピー禁止／許可フラグおよびカテゴリコードからなるＳＣＭＳ情報により、１世代のデジタルオーディオ信号の複製はできるが、コピーされたデジタルオーディオ信号をさらに複製することはできないというように、デジタルオーディオ信号の複製の世代制限制御を行うことができるようにされている。
【０００７】
また、ＣＧＭＳ方式は、例えばアナログ画像信号であれば、その垂直ブランキング期間内の特定の１水平区間に複製制御用の２ビットの付加情報を重畳し、また、デジタル画像信号であれば、デジタル画像データに、複製制御用の２ビットの付加情報を付加して伝送する方式である。
【０００８】
このＣＧＭＳ方式の場合の２ビットの情報（以下、ＣＧＭＳ情報という）の意味内容は、
［００］……複製可能
［１０］……１回複製可能（１世代だけ複製可能）
［１１］……複製禁止（絶対複製禁止）
である。
【０００９】
画像信号に付加されたＣＧＭＳ情報が［１０］であった場合に、ＣＧＭＳ対応の記録装置では、その画像信号の複製記録が可能であると判断して記録を実行するが、記録された画像信号には［１１］に書き換えられたＣＧＭＳ情報が付加される。そして、記録しようとする画像信号に付加されたＣＧＭＳ情報が［１１］の場合には、ＣＧＭＳ対応の記録装置では、その画像信号の複製記録は禁止であるとして記録の実行が禁止される。
【００１０】
このように、ＳＣＭＳ方式、ＣＧＭＳ方式などの複製世代制限方式により、複製世代制限制御が行われ、オーディオ信号や画像信号などの情報信号を、家庭において複製して家庭において利用するようないわゆる私的利用の範囲内においての複製はできるようにされる。しかし、複製された情報信号の複製は禁止されるので、複製された情報信号が次々に複製され、情報信号の著作権者の利益や権利を不当に害することがないようにされている。
【００１１】
【発明が解決しようとする課題】
ところで、前述のＳＣＭＳ方式、ＣＧＭＳ方式などを用いて、情報信号の複製世代制限制御を行うようにした場合には、複製された情報信号をさらに別の記録媒体に複製するなどということは防止される。すなわち、第１世代の複製から第２世代の複製の作成は禁止される。しかしながら、第１世代の複製は何回でも可能であるという問題がある。すなわち、例えば、ＣＤやデジタルビデオディスク（ＤＶＤ）などの記録媒体に記録されてコンテンツメーカーから提供される元の情報信号は、その記録媒体からであれば無制限に複製することができてしまうという問題がある。
【００１２】
また、オーディオ信号や画像信号を標準再生時間よりも短縮した時間で複製するようにする高速コピーを行うことができる。しかし、この場合には、目的とする情報信号を短時間で複製することができるため、ＳＣＭＳ方式、ＣＧＭＳ方式を用いて複製世代制限制御を行うようにしていても、第１世代の複製が何回も行われ、情報信号を複製した記録媒体が比較的短時間に大量に作成されてしまうという危険性がある。このように高速コピーを用いることによって、大量に作成された複製物、すなわち、情報信号が複製された記録媒体が販売されるなどした場合には、情報信号の著作権者が受ける不利益が大きくなってしまう。
【００１３】
このため、情報信号を複製する場合に、例えば、記録装置毎に、複製した情報信号の識別情報を保持し、各記録装置においては、既に保持されている識別情報と同じ識別情報の情報信号については、複製しないように制御する複製制限方式、すなわち、記録装置毎であって、各情報信号毎に１回の複製しか認めないようにする複製制限方式を用いることが考えられる。
【００１４】
この複製制限方式を用いた場合には、その記録装置において、１度複製した情報信号をさらに複製することはできない。したがって、前述のように高速コピーを用いて、同じ情報信号を複製した複製物を大量に作成しようとしてもできないので、情報信号の著作権者の利益を害する情報信号の不正な複製を確実の防止することができる。
【００１５】
しかし、この場合には、１度複製された情報信号は、同じ記録装置を用いては複製することができないので、私的利用の範囲内においての情報信号の複製が制限されることになり、情報信号の利用者の利便性が損なわれてしまう場合があると考えられる。
【００１６】
また、各記録装置毎に、同じ情報信号の複製を１回しかできないようにする複製制限方式の場合、各記録装置においては、複製したすべての情報信号の識別情報を記憶することができるメモリを設けると共に、このメモリに記憶された識別情報のすべてを管理するようにしなければならない。このため、記録装置の負荷が大きくなってしまう。
【００１７】
以上のことにかんがみ、この発明は、情報信号の利用者の利便性を損なうことなく、かつ、記録装置の負荷を大きくすることなく、情報信号の不正な複製を効果的に防止することができる情報信号複製制限方法、情報信号複製制御システムおよび情報信号記録装置を提供することを目的とする。
【００１８】
【課題を解決するための手段】
上記課題を解決するため、請求項１に記載の発明の情報信号複製制限方法は、
オーディオ信号や画像信号などのような時間の経過と共に、情報の内容が変わる時系列信号としての情報信号を、少なくとも前記情報信号の標準再生時間よりも短縮された時間で複製した後、予め定められる一定期間は記録機能に制限を加えるようにする情報信号複製制限方法であって、
前記情報信号の複製実行期間と、前記複製実行期間に続く前記一定期間とを合わせた期間が、前記情報信号を前記情報信号の標準再生時間に等しい時間で複製するようにした場合の複製にかかる期間以上となるようにすることを特徴とする。
【００２２】
この請求項１に記載の情報信号複製制限方法によれば、情報信号の複製には、情報信号の標準再生時間よりも短縮された時間で複製するいわゆる高速コピーと、情報信号の標準再生時間に等しい時間で複製するいわゆる等速コピーとがあるが、情報信号を高速コピーする場合、その高速コピーの開始時点から、その情報信号が、等速コピーされたとした場合の複製終了時点までの期間以上の期間が、高速コピーによる情報信号の複製実行期間と、その後に続く予め定められる一定期間とを合わせた期間となるようにされる。
【００２３】
すなわち、情報信号の高速コピーが終了しても、高速コピーの開始時点から、その情報信号が等速コピーされたとした場合の複製終了時点までの期間以上の期間が満了するまでは、記録機能に制限が加えられる。
【００２４】
これにより、情報信号を高速コピーしても、その情報信号を等速コピーしたものとした場合の期間以上の期間が経過しなければ、記録機能に加えられた制限は解除されないので、短時間に同じ情報信号の複製物を大量に作成するなどの情報信号の不正な複製が防止される。
【００２５】
また、請求項２に記載の発明の情報信号複製制限方法は、請求項１に記載の情報信号複製制限方法であって、
前記記録機能の制限として、複製した前記情報信号の識別情報を前記一定期間保持し、前記一定期間内においては、同じ識別情報を有する情報信号の複製を禁止することを特徴とする。
【００２６】
この請求項２に記載の発明の情報信号複製制限方法によれば、高速コピーされた情報信号と同じ情報信号は、複製終了後の一定期間内においては複製できないようにされる。
【００２７】
これにより、短時間に同じ情報信号の複製物を大量に作成することはできないようにされるので、情報信号の著作権者の利益を害するような情報信号の不正な複製が防止される。また、情報信号の識別情報は、例えば、高速コピー終了後の予め定められる一定期間が満了するまでしか保持されないようにされる。このため、その一定時間経過後においては、既に複製した情報信号の再度の複製が可能となり、情報信号の利用者の利便性を害することがないようにされる。
【００２８】
また、情報信号の識別情報は、複製終了後の一定期間記録装置に保持しておけばよいので、記録装置に保持するようにされる複製した情報信号の識別情報が無制限に増えることがなく、記録装置の負荷が大きくなることもない。
【００２９】
また、請求項４に記載の発明の情報信号複製制限方法は、請求項１に記載の情報信号複製制限方法であって、
前記記録機能の制限として、前記一定期間内においては、記録機能を不能にして、情報信号の複製を禁止することを特徴とする。
【００３０】
この請求項４に記載の発明の情報信号複製制限方法によれば、情報信号を高速コピーにより複製した後の一定期間内においては、すべての情報信号の複製ができないようにされる。
【００３１】
これにより、複製終了後の一定期間内においては、情報信号の複製自体が禁止されるので、短時間に同じ情報信号の複製物を大量に作成することが確実にできないようにされる。したがって、情報信号の著作権者の利益を害するような情報信号の不正な複製が防止される。
【００３２】
また、情報信号の識別情報は、複製終了後の一定時間経過後においては、記録機能の制限は解除され、情報信号の複製ができるようにされるので、私的利用の範囲内の複製は認められ、情報信号の利用者の利便性を害することもないようにされる。
【００３６】
【発明の実施の形態】
以下、この発明による情報信号複製制限方法、情報信号複製制御システム、情報信号記録装置の一実施の形態について、図を参照しながら説明する。
【００３７】
図１は、この発明による情報信号複製制限方法が適用された情報信号複製制御システムの一実施の形態を説明するためのブロック図である。図１に示すように、この実施の形態の情報信号複製制御システムは、コンパクトディスク（以下、ＣＤと略称する。）に記録されたオーディオ信号を再生するＣＤの再生装置１と、ミニディスク（以下、ＭＤと略称する。）と呼ばれる小型の光磁気ディスクにオーディオ信号を記録することができると共に、ＭＤに記録されているオーディオ信号を再生することができるＭＤの記録再生装置２とが、高速バス３によって接続されて形成されたものである。
【００３８】
図１に示すように、再生装置１は、コントロール部１０、再生ドライブ部１１、データデコード部１２、Ｄ／Ａコンバータ１３、アナログオーディオ信号の出力端子１４、コンテンツ関連情報抽出部１５、デジタルインターフェース（図１においては、デジタルＩ／Ｆと記載）、デジタルデータの出力端子１７、キー操作部１８を備えている。コントロール部１０は、ＣＰＵ、ＲＯＭ、ＲＡＭなどを備えたマイクロコンピュタであり、この再生装置１の各部を制御するものである。
【００３９】
また、記録再生装置２は、この発明による情報信号記録装置が適用されたものであり、図１に示すように、コントロール部２０、デジタルデータの入力端子２１、デジタルインターフェース（図１においては、デジタルＩ／Ｆと記載）２２、コンテンツ関連情報抽出部２３、書き込み制御部２４、データエンコード部２５、記録／再生ドライブ部２６、データデコード部２７、Ｄ／Ａコンバータ２８、アナログオーディオ信号の出力端子２９、キー操作部３１、コピー履歴情報管理メモリ３２、タイマ（時計回路）３３を備えている。また、コントロール部２０は、前述の再生装置１のコントロール部１０と同様に、ＣＰＵ、ＲＯＭ、ＲＡＭなどを備えたマイクロコンピュタであり、この記録再生装置２の各部を制御するものである。
【００４０】
そして、ＣＤの再生装置１とＭＤの記録再生装置２とからなるこの実施の形態の情報信号複製制御システムは、ＣＤに記録されているオーディオ信号をＭＤに複製するいわゆるダビング機能を備えている。このダビング機能は、再生装置１のキー操作部１８を通じて入力される使用者からの指示入力に応じて、実行することができるようにされている。
【００４１】
この実施の形態の情報信号複製制御システムのダビング機能は、複製対象のオーディオ信号を、このオーディオ信号の標準再生時間よりも短縮した時間で複製するいわゆる高速コピーを行う。この実施の形態においては、後述もするように、再生装置１の再生ドライブ部１１においての再生ドライブ速度と、記録再生装置２の記録／再生ドライブ部２６においての記録ドライブ速度とのそれぞれを同期をとって高速にするようにすることにより、高速コピーを行うようにしている。
【００４２】
しかし、前述もしたように、高速コピーを用いると、同じオーディオ信号を複製した記録媒体を比較的短時間に多数作成することができるので、高速コピーが悪用されることにより、オーディオ信号の著作権者の利益が害される危険性が大きくなる。
【００４３】
そこで、この実施の形態の情報信号複製制御システムにおいては、以下に説明するように、ダビング終了後、すなわち高速コピー終了後の一定期間は、記録再生装置２の記録機能に制限を加えることで、高速コピーを行うダビング機能が悪用されることがないようにしている。以下、この実施の形態の情報信号複製制御システムを、高速コピーが行われるダビング機能を実行する場合を中心にして説明する。
【００４４】
再生装置２のキー操作部１８を通じて、使用者によりダビングを行うようにする指示入力が入力されると、再生装置１のコントロール部１０は、再生装置１と記録再生装置２とを同期して再生状態および記録状態にして、ダビングを行うように制御する。この場合、前述したように、ＣＤからＭＤへのオーディオ信号のダビングは、高速コピーにより行われるため、再生装置のコントロール部１０からは、再生ドライブ部１１に高速再生コマンドが、記録再生装置２のコントロール部２０に高速記録コマンドが同期して供給されるように構成されている。
【００４５】
この場合、高速記録コマンドは、高速バス３を通じて、あるいは、別のコントロールラインを通じて、再生装置１のコントロール部１０から記録再生装置２のコントロール部２０に供給される。
【００４６】
再生装置１の再生ドライブ部１１は、この例では、この実施の形態の再生装置１に装填された記録媒体であるＣＤ１００を回転駆動して、ＣＤ１００に記録されているデジタル信号を読み出す部分である。
【００４７】
また、ＣＤ１００には、ＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）のような、ＣＤに記録されているコンテンツ情報としてのデジタルオーディオ信号に固有のコンテンツＩＤや、そのデジタルオーディオ信号の標準再生時間（演奏時間）などのコンテンツ関連情報が記録されており、再生ドライブ部１１は、これらのコンテンツ関連情報をもＣＤ１００から読み出して出力することができるものである。
【００４８】
そして、再生装置１の再生ドライブ部１１に高速再生コマンドが供給された場合、再生ドライブ部１１においての再生ドライブ速度は、オーディオ信号を標準再生時間で再生する場合のノーマル速度の２倍以上の高速度となるようにされる。
【００４９】
また、記録再生装置２においても、オーディオ信号のダビングを行う場合、すなわち、再生装置１から高速記録コマンドが供給された場合には、記録再生装置２のコントロール部２０は、記録／再生ドライブ部２６をデジタル信号の記録を行う状態にすると共に、その記録ドライブ速度が、再生ドライブ速度に同期して高速度となるように制御する。これにより、オーディオ信号の高速コピーが実現され、ＣＤに記録されているデジタルオーディオ信号を標準再生時間に等しい時間で複製する等速コピーの場合よりも、少なくとも２倍以上の速さで高速にコピーを行うことができるようにされる。
【００５０】
なお、この実施の形態の情報信号複製制御システムにおいて、ダビング機能が実行された場合には、再生装置１のコントロール部１０は、例えば、Ｄ／Ａコンバータ１３の動作を停止させるなどして、アナログオーディオ信号を再生しないようにすると共に、後述するコンテンツ関連情報抽出部１５と、デジタルインターフェース部１６とは動作させるようにして、高速コピーのみを行うように制御する。
【００５１】
そして、前述のようにしてダビングが行われるようにされた場合、再生ドライブ部１１によりＣＤ１００から読み出されたデジタルデータは、デコード部１２に供給される。デコード部１２は、供給されたデジタルデータをＥＦＭ復調するなどのデコード処理を行うなどして、ベースバンドデータとしてのデジタルオーディオ信号などを再生する。
【００５２】
デコード部１２において再生されたデジタルオーディオ信号は、デジタルインターフェース部１６に供給される。また、ＣＤ１００から読み出されたコンテンツＩＤや演奏時間などのコンテンツ関連情報も、このデコード部１２を通じてコンテンツ関連情報抽出部１５に供給される。
【００５３】
コンテンツ関連情報抽出部１５は、デコード部１２からのデジタルデータのうち、デジタルインターフェース１６を通じて出力するデジタルオーディオ信号に対応するコンテンツＩＤや、そのデジタルオーディオ信号の標準再生時間などの必要なコンテンツ関連情報を抽出し、これらをデジタルインターフェース１６に供給する。
【００５４】
デジタルインターフェース１６は、これに供給されたデジタルオーディオ信号と、コンテンツ関連情報とを高速バス３の伝送プロトコルにしたがった伝送データに変換し、これをデジタルデータの出力端子１７を通じて出力し、高速バス３を介して記録再生装置２に供給するようにする。
【００５５】
高速バス３を介して伝送されてくる伝送データは、記録再生装置２のデジタルデータの入力端子２１を通じて、デジタルインターフェース２２に供給される。記録再生装置２のデジタルインターフェース２２は、これに供給された伝送データを、この記録再生装置２において処理可能な形式のデジタルデータに変換する。そして、デジタルインターフェース２１は、デジタルオーディオ信号を書き込み制御部２４に供給し、コンテンツ関連情報などのデジタルデータをコンテンツ関連情報抽出部２３に供給する。
【００５６】
コンテンツ関連情報抽出部２３は、これに供給されたデジタルデータからコンテンツＩＤや高速コピーしようとしているデジタルオーディオ信号の標準再生時間などのコンテンツ関連情報を抽出し、これをコントロール部２０に供給する。
【００５７】
この実施の形態の記録再生装置２のコントロール部２０には、図１に示したように、コピー履歴情報管理メモリ３２と、タイマ（時計回路）３３とが接続されている。コピー履歴情報管理メモリ３２は、この実施の形態の記録再生装置２により高速コピーされたデジタルオーディオ信号のコンテンツＩＤを高速コピーの開始時点から、高速コピーの実行時間（複製実行時間）と、記録機能を制限する期間として、予め定められる一定期間とを合わせた期間において保持するものでる。
【００５８】
また、タイマ３３は、高速コピーの開始時点から、高速コピーの実行時間（複製実行時間）と、記録機能を制限するための一定期間とを合わせた期間を計測するようにする期間計測手段としての機能を有するものであり、この実施の形態においては、目的とするデジタルオーディオ信号の高速コピーの開始時点から、そのデジタルオーディオ信号が等速コピーされたとした場合の等速コピーにかかる時間分の期間を、高速コピーの実行時間と、記録機能を制限するための一定期間とを合わせた期間として計測する。
【００５９】
このタイマ３３によって計測される期間においては、前述したように、高速コピーするデジタルオーディオ信号のコンテンツＩＤがコピー履歴情報管理メモリ３２に記憶保持するようにされる。
【００６０】
そして、記録再生装置２のコントロール部２０は、高速記録コマンドが再生装置１から供給されると、コンテンツ関連情報抽出部２３を通じて抽出したコンテンツＩＤに基づいて、コピー履歴情報管理メモリ３２に同一のコンテンツＩＤが記憶されているか否かを検索する。
【００６１】
そして、コンテンツ関連情報抽出部２３からのコンテンツＩＤと同じコンテンツＩＤが既にコピー履歴情報管理メモリ３２に記憶されていた場合、この実施の形態においては、そのコンテンツＩＤのデジタルオーディオ信号は、前回高速コピーされてから、その高速コピーの開始時点から、そのデジタルオーディオ信号が等速コピーされたとした場合の等速コピーに要する時間分の期間が終了していないので、高速コピーを禁止する制御信号を形成し、これを書き込み制御部２４に供給する。
【００６２】
書き込み制御部２４は、コントロール部２０から高速コピーを禁止する制御信号が供給されたときには、デジタルインターフェース２２からのデジタルオーディオ信号をエンコード部２５に供給しないようにして、デジタルオーディオ信号の高速コピーを行わないようにする。すなわち、高速コピーを禁止する。
【００６３】
また、コンテンツ関連情報抽出部２３からのコンテンツＩＤと同じコンテンツＩＤがコピー履歴情報管理メモリ３２に記憶されていなかったときには、そのデジタルオーディオ信号は、この記録再生装置２によっては高速コピーされたことがないもか、あるいは、前回高速コピーしてから、そのデジタルオーディオ信号が等速コピーされたとした場合のコピーに要する時間分の期間が経過しているものである。
【００６４】
このため、コントロール２０は、高速コピーするデジタルオーディオ信号のコンテンツＩＤをコピー履歴情報管理メモリ３２に記憶させるとともに、コンテンツ関連情報抽出部２３を通じて得た高速コピーするデジタルオーディオ信号の標準再生時間（演奏時間）をタイマ３３に設定し、高速コピー開始時点から実時間で設定値である標準再生時間を減算していき、前述もしたように、記録再生装置２の記録機能に制限を加えるようにする一定期間（記録制限期間）を管理するようにする。
【００６５】
そして、コンテンツ関連情報抽出部２３からのコンテンツＩＤと同じコンテンツＩＤがコピー履歴情報管理メモリ３２に記憶されていなかった場合には、書き込み制御部２４には、コントロール部２０から、高速コピーを許可する制御信号が供給され、書き込み制御部２４は、デジタルインターフェース２２からのデジタルオーディオ信号をエンコード部２５に供給するようにする。
【００６６】
エンコード部２５は、これに供給されたデジタルオーディオ信号を例えばＡＴＲＡＣ（Ａｄａｐｔｉｖｅ  Ｔｒａｎｓｆｏｒｍ  Ａｃｏｕｓｔｉｃ  Ｃｏｄｉｎｇ）方式でデータ圧縮するなどのエンコード処理を行い、エンコード処理後のデジタルオーディオ信号を記録／再生ドライブ部２６に供給する。
【００６７】
記録／再生ドライブ部２６は、この例では、ＭＤ２００を回転駆動して、ＭＤ２００にデジタル信号を書き込んだり、あるいは、ＭＤ２００に記録されているデジタル信号を読み出す部分である。前述にもしたように、ＣＤからＭＤへのデジタルオーディオ信号のダビングを行う場合には、記録／再生ドライブ部２６は、コントロール部２０により、デジタル信号を記録する状態に制御されると共に、その記録ドライブ部速度は、再生ドライブ部速度に同期して高速になるようにされている。
【００６８】
このため、記録／再生ドライブ部２６は、エンコード部２５からのデジタルオーディオ信号を高速にＭＤ２００に記録する。これにより、ＣＤ１００に記録されているデジタルオーディオ信号が、標準再生時間で再生する場合のノーマル速度の少なくとも２倍以上の速さでＭＤ２００に高速コピーされる。
【００６９】
そして、ＭＤ２００に高速コピーされたデジタルオーディオ信号のコンテンツＩＤは、そのデジタルオーディオ信号の高速コピーの開始時点から、そのデジタルオーディオ信号を等速コピーしたとした場合にかかる時間分の期間は、コピー履歴情報管理メモリ３２に保持される。
【００７０】
このため、ＭＤ２００に高速コピーされたデジタルオーディオ信号を、そのデジタルオーディオ信号の高速コピーの開始時点から、そのオーディオ信号を等速コピーしたとした場合にかかる時間分の期間が終了しないうちに再度コピーしようとしても、そのデジタルオーディオ信号のコンテンツＩＤがコピー履歴情報管理メモリ３２に保持されているために、そのデジタルオーディオ信号のコピーは禁止される。
【００７１】
しかし、高速コピーしたデジタルオーディオ信号のコンテンツＩＤを、そのデジタルオーディオ信号の高速コピーの開始時点から、そのデジタルオーディオ信号を等速コピーしたとした場合にかかる時間分の期間が終了した場合には、コピー履歴情報管理メモリ３２から削除するようにすることによって、デジタルオーディオ信号の繰り返してのコピーが可能となる。
【００７２】
このように、高速コピー終了の一定期間は、同じデジタルオーディオ信号の高速コピーを禁止することにより、高速コピーが悪用されて、短時間に同じデジタルオーディオ信号をコピーしたＭＤを多数作成することはできないようにされる。したがって、デジタルオーディオ信号の著作権者の利益が害されるような情報信号の不正なコピーを効果的に防止することができる。
【００７３】
また、そのデジタルオーディオ信号の高速コピーの開始時点から、そのデジタルオーディオ信号を等速コピーしたとした場合にかかる時間分の期間が終了した場合には、すなわち、高速コピーが終了すると共に、デジタルオーディオ信号の高速コピーの終了後の一定期間が終了した後には、コピー履歴情報管理メモリ３２に記憶保持されている高速コピーされたデジタルオーディオ信号のコンテンツＩＤを削除するようにすることにより、高速コピーしたデジタルオーディオ信号を再度コピーすることができるようにされる。
【００７４】
これにより、そのデジタルオーディオ信号が等速コピーされたものとした場合に等速コピーにかかる期間の経過後においては、そのデジタルオーディオ信号の再度のコピーは、従来と同じようにできるようにされるので、私的利用の範囲内の複製が制限されることなく、デジタルオーディオ信号の利用者の利便性が害されることもない。
【００７５】
また、デジタルオーディオ信号の高速コピー終了後の一定期間内においては、同じデジタルオーディオ信号を繰り返しコピーすることはできないものの、高速コピーにより迅速にデジタルオーディオ信号をＭＤにコピーすることはできるので、私的利用の範囲内の複製は、高速コピーにより短時間に行うことができ、デジタルオーディオ信号の利用者の利便性を向上させることができる。
【００７６】
なお、この実施の形態の記録再生装置２は、ＭＤ２００に記録されたデジタル信号を再生することができるものである。すなわち、記録再生装置２のキー操作部３１を通じて、使用者により再生指示が入力されると、コントロール部２０は、記録／再生ドライブ部２６に再生コマンドを供給し、ＭＤ２００に記録されているデジタルオーディオ信号の再生を行うようにすると共に、その再生ドライブ速度は、ＭＤ２００に記録されているデジタルオーディオ信号を標準再生時間で再生する速度となるように制御する。
【００７７】
そして、記録／再生ドライブ部２６は、ＭＤ２００に記録されているデジタルオーディオ信号を読み出し、これをデコード部２７に供給する。デコード部２７は、データ圧縮されているデジタルオーディオ信号を伸長処理するなどのデコード処理を行い、デコード処理したデジタルオーディオ信号をＤ／Ａコンバータ２８に供給する。
【００７８】
Ｄ／Ａコンバータ２８は、デジタルオーディオ信号をアナログオーディオ信号に変換し、これをアナログオーディオ信号の出力端子２９を通じて出力する。出力されたアナログオーディオ信号は、スピーカやヘッドホン、イヤホンに供給され、これらからアナログオーディオ信号に応じた音声が放音される。
【００７９】
そして、この実施の形態の記録再生装置２においては、前述したように、記録機能の制限は行われるが、再生機能の制限は行なわれないので、利用者の利便性を害することもない。
【００８０】
また、この実施の形態の情報信号複製制御システムの再生装置は、ＣＤ１００に記録されたデジタルオーディオ信号を再生することができるものである。すなわち、再生装置１のキー操作部１８を通じて、使用者により再生指示が入力されると、コントロール部１０は、再生ドライブ部１１に再生コマンドを供給し、ＣＤ１００に記録されているデジタルオーディオ信号の再生を行うようにすると共に、その再生ドライブ速度は、ＣＤ１００に記録されているデジタルオーディオ信号を標準再生時間で再生する速度となるように制御する。
【００８１】
また、この場合、この実施の形態においては、コンテンツ関連情報抽出部１５、デジタルインターフェース部１６は、例えば動作しないように制御され、ＣＤ１００に記録されているデジタルオーディオ信号の再生のみを行うようにされる。
【００８２】
そして、再生ドライブ部１１によりＣＤ１００から読み出されたデジタルオーディオ信号は、デコード部１２に供給され、ここでデコード処理されたデジタルオーディオ信号が、Ｄ／Ａコンバータ１３に供給される。Ｄ／Ａコンバータ１３は、デジタルオーディオ信号をアナログオーディオ信号に変換し、これをアナログオーディオ信号の出力端子１４を通じて出力される。出力されたアナログオーディオ信号は、スピーカやヘッドホン、イヤホンに供給され、これらからアナログオーディオ信号に応じた音声が放音される。
【００８３】
次に、図２のフローチャートを参照しながら、ＣＤ１００に記録されているデジタルオーディオ信号のＭＤ２００への高速コピーを行う場合の処理について説明する。図２に示すフローチャートは、前述したように、デジタルオーディオ信号の高速コピー終了後の一定期間は、同じデジタルオーディオ信号のコピーを禁止するようにして、不正なコピーを防止するようにするデジタルオーディオ信号の記録側、すなわち、記録再生装置２においての高速コピーを行う場合の処理を説明するためのフローチャートである。
【００８４】
前述したように、再生装置１のキー操作部１８を通じて、ダビング機能の実行が指示されると、再生装置１の再生ドライブ部１１には高速再生コマンドが供給され、記録再生装置２のコントロール部２０には高速記録コマンドが供給されて、高速コピーが開始される。
【００８５】
高速コピーが開始されると、記録再生装置２には、再生装置１からデジタルオーディオ信号とこのデジタルオーディオ信号のコンテンツ関連情報とからなる伝送データが供給され、コントロール部２０は、コンテンツ関連情報抽出部２３を通じて、高速コピーするデジタルオーディオ信号のコンテンツＩＤや標準再生時間（演奏時間）などの必要な情報を抽出する（ステップＳ１０１）。
【００８６】
次に、コントロール部２０は、抽出したコンテンツＩＤと同一のコンテンツＩＤが、コピー履歴情報管理メモリ３２に既に記憶されているかを検索する（ステップＳ１０２）。そして、コントロール部２０は、コピー履歴情報管理メモリ３２に同一コンテンツＩＤが記憶されているか否かを判断する（ステップＳ１０３）。
【００８７】
ステップＳ１０３の判断処理において、同一コンテンツＩＤが記憶されていないと判断したときには、コントロール部２０は、抽出したコンテンツＩＤをコピー履歴情報として、コピー履歴情報管理メモリ３２に記憶させるとともに、コンテンツ関連情報抽出部２３を通じて抽出した高速コピーするデジタルオーディオ信号の標準再生時間をタイマ３３にセットし、実時間でタイマ３３の設定値を減算していき、記録機能に制限を加える記録制限期間を管理するようにする（ステップＳ１０４）。
【００８８】
そして、コントロール部２０は、書き込み制御部２４を制御し、デジタルインターフェース２２からのデジタルオーディオ信号をエンコード部２５に供給するようにして、デジタルオーディオ信号のＭＤ２００への高速コピーを実行するようにする（ステップＳ１０５）。
【００８９】
そして、ステップＳ１０５においてのデジタルオーディオ信号の高速コピーが終了した場合には、タイマ３３を用いて管理しているそのデジタルオーディオ信号についての記録制限期間内か否かを判断する（ステップＳ１０６）。このステップＳ１０６の判断処理は、ステップＳ１０３の判断処理により、高速コピーしようとしたデジタルオーディオ信号のコンテンツＩＤが既にコピー履歴情報管理メモリ３２に記憶されていると判断し、ステップＳ１０８において、書き込み制御部２４を制御してコピーを禁止した後においても行なわれる。
【００９０】
つまり、ステップＳ１０６においては、高速コピーしたデジタルオーディオ信号の記録制限期間が終了したか、あるいは、高速コピーしようとして、コピーが禁止されたデジタルオーディオ信号の記録制限期間が終了したかを判断する処理である。このステップＳ１０６の判断処理において、記録制限期間内であると判断した場合には、図２に示す処理を終了する。
【００９１】
また、ステップＳ１０６の判断処理において、記録制限期間内でない、すなわち、高速コピーした、あるいは、高速コピーしようとしたデジタルオーディオの記録制限期間内でないと判断したときには、コントロール部２０は、高速コピーした、あるいは、高速コピーしようとしたデジタルオーディオ信号のコンテンツＩＤをコピー履歴情報管理メモリ３２から削除し（ステップＳ１０７）、この図２に示す処理を終了する。
【００９２】
そして、高速コピーした、あるいは、高速コピーしようとしたデジタルオーディオ信号のコンテンツＩＤが、ステップＳ１０７においてコピー履歴情報管理メモリ３２から削除された場合には、コピー履歴情報管理メモリ３２から削除されたコンテンツＩＤを有するデジタルオーディオ信号の再度の高速コピーができるようにされる。
【００９３】
そして、図２に示した高速コピー時の処理は、この実施の形態の情報信号複製制御システムにおいて、ダビング機能が実行されるごとに、記録再生装置２のコントロール２により実行される。このため、同じデジタルオーディオ信号については、前述したように、記録制限期間内のコピーはできないように制御されるが、記録制限期間終了後においては、１度高速コピーしたデジタルオーディオ信号の再度の高速コピーができるようにされる。
【００９４】
このように、この実施の形態の情報信号複製制御システムは、高速コピーによる利便性と、著作権保護を同時に満たすことができる。すなわち、高速コピーを行うことができると共に、同一のデジタルオーディオ信号の連続大量複製を防止することができる。
【００９５】
また、異なるデジタルオーディオ信号の高速コピーは、続けてできるようにされるので、デジタルオーディオ信号の利用者の利便性を害することがなく、むしろ、高速コピーができるようにされるので、デジタルオーディオ信号の利用者の利便性を向上させることができる。
【００９６】
なお、高速コピーしようとしたデジタルオーディオ信号のコンテンツＩＤがコピー履歴情報管理メモリ３２に記憶されており、かつ、その高速コピーしようとしたデジタルオーディオ信号についての記録制限期間がまだ終了していない場合には、例えば、「記録が制限されています。」などのメッセージを再生装置１あるいは記録再生装置２の図示しないＬＣＤに表示するなどして、目的とするデジタルオーディオ信号のダビングができないことを使用者に通知するようにするようにしてもよい。
【００９７】
同様に、高速コピーしようとしたデジタルオーディオ信号のコンテンツＩＤがコピー履歴情報管理メモリ３２に記憶されており、かつ、その高速コピーしようとしたデジタルオーディオ信号についての記録制限期間が終了しており、そのコンテンツＩＤがコピー履歴情報管理メモリ３２から削除された場合には、「記録の制限が解除されました。ダビング機能を再度実行すればダビング可能です。」などのメッセージを、再生装置１あるいは記録再生装置２の図示しないＬＣＤに表示するなどして、目的とするデジタルオーディオ信号の記録制限が解除され、ダビングが可能であることを通知するようにしてもよい。
【００９８】
また、ダビング機能が実行され、高速コピーを行う場合にだけコピー履歴情報管理メモリ３２に記憶されたコンテンツＩＤの削除を行うのではなく、記録再生装置２において、例えば、電源が投入された直後などの予め決められたタイミングや、所定の時間間隔ごとに、コピー履歴情報管理メモリ３２のコンテンツＩＤのうち、記録制限期間が経過したものを削除する処理を行うようにしてもよい。
【００９９】
このようにすることによって、コピー履歴情報管理メモリ３２に記憶されるコンテンツＩＤの数が無制限には多くならず、ある程度限られるので、コピー履歴情報管理メモリ３２の記憶容量は小容量で済むと共に、多数のコンテンツＩＤを管理しなくてもよいので、１度コピーしたデジタルオーディオ信号のすべてについて、再度のコピーを認めないように制御する場合に比べて、記録再生装置２の負荷が大きくなることもない。
【０１００】
なお、前述の実施の形態においては、ＣＤ１００に記録されているデジタルオーディオ信号のＭＤ２００へのダビングは、高速コピーにより行われるようにされ、高速コピーが終了した後においても、デジタルオーディオ信号の高速コピーの開始時点から、そのデジタルオーディオ信号が、等速コピーされたものとした場合の等速コピーの終了時点までの期間が満了するまでは、同じデジタルオーディオ信号を繰り返しコピーすることができないようにした。
【０１０１】
つまり、高速コピーの実行期間と、その後の一定期間とを合わせた期間が、目的とするデジタルオーディオ信号を等速コピーした場合にコピーにかかる時間分の期間となるようにした。しかし、これに限るものではない。
【０１０２】
デジタルオーディオ信号の著作権者の中には、デジタルオーディオ信号のコピーが行われた場合には、より長い期間、コピーを行う装置の記録機能に制限を加えるようにすることにより、確実に自己の利益が害されることがないようにしたいとする場合もある。
【０１０３】
このような場合も考慮し、高速コピ−の実行期間と、その後の一定期間とを合わせた期間が、例えば、１時間、２時間、…、１日、２日、…、１週間、２週間、…、１ヶ月、２ヶ月、…というように、比較的長い期間となるようにしてももちろんよい。このようにする場合には、例えば、デジタルオーディオ信号が記録されて、エンドユーザ（利用者）に提供するようにされるＣＤに、記録機能に制限を加える期間を示す情報である記録制限期間に関する情報をも記録しておくようにする。
【０１０４】
そして、ダビング時においては、この記録制限期間に関する情報をもコンテンツ関連情報として、デジタルオーディオ信号と共に記録再生装置に供給し、高速コピーを実行するようにすると共に、高速コピー終了後においても、高速コピーの開始時点から、記録制限期間に関する情報により示される期間が満了しないうちは、記録機能に制限を加えるようにする。
【０１０５】
このようにすることによって、デジタルオーディオ信号の私的利用の範囲内の複製は認められるが、１度複製されたデジタルオーディオ信号は、高速コピーの開始時点から、例えば、数時間経過後でないとコピーできなかったり、数日経過後でないとコピーすることができないなど、比較的長期間に渡り記録機能に制限を加えることができるので、より確実にデジタルオーディオ信号の不正な複製を防止するようにすることができる。
【０１０６】
また、記録制限期間に関する情報は、デジタルオーディオ信号の記録媒体、すなわちこの例の場合にはＣＤに記録するようにする場合に限ることなく、例えば、コピーを行う記録再生装置のメモリに予め決められた記録制限期間に関する情報を保持しておき、この記録再生装置のメモリの記録制限期間に関する情報に基づいて、記録機能に制限を加える期間を設定するようにするようにしてもよい。
【０１０７】
また、前述の実施の形態においては、同じデジタルオーディオ信号を繰り返し高速コピーしようとした場合に、記録再生装置の記録機能に制限を加えることによって、同じデジタルオーディオ信号のコピーが比較的短時間に多数作成されてしまうことを防止するようにした。
【０１０８】
しかし、同じデジタルオーディオ信号の高速コピーのみを制限するのではなく、デジタルオーディオ信号が高速コピーされた場合には、予め決められた一定期間は、すべてのデジタル信号の高速コピーを禁止するようにしてもよい。このようにした場合には、記録再生装置においてコンテンツＩＤを記憶し管理する必要はなく、記録機能に制限を加える期間だけを管理すればよいので、記録再生装置の負荷をより軽減することができる。
【０１０９】
また、前述の実施の形態においては、目的とするデジタルオーディオ信号の高速コピーの開始時点から、高速コピーの実行期間とその後に続き一定期間とを合わせた期間が、目的とするデジタルオーディオ信号の等速コピーにかかる期間となるようにしたが、これに限るものではない。
【０１１０】
例えば、記録機能に制限を加える期間を、コピー終了時点から計測するようにしてもよい。したがって、高速コピー終了後の予め定められる一定期間が、等速コピーにかかる期間となるようにし、この期間において、記録機能に制限を加えるようにすることももちろんできる。
【０１１１】
また、前述の実施の形態の情報信号複製制御システムにおいては、ダビング機能は、高速コピーが行なわれるものとして説明した。しかし、これに限るものではなく、等速コピーと、高速コピーとを使用者により選択できるようにすることもできる。
【０１１２】
このように、等速コピーと高速コピーが選択可能な場合には、高速コピーが選択された場合にのみ、前述したように、高速コピー終了後の一定期間は、同じデジタルオーディオ信号の少なくとも高速コピーを禁止するようにすることによって、デジタルオーディオ信号の著作権者の利益を害するようなデジタルオーディオ信号の不正なコピーを防止することができる。
【０１１３】
もちろん、高速コピー終了後の一定期間は、同じデジタルオーディオ信号の高速コピー、等速コピーの両方、すなわち、記録機能自体を不能にするようにすることもできる。
【０１１４】
また、等速コピーが選択された場合にも、その等速コピーの終了後の一定期間は、等速コピーまたは高速コピーあるいは等速コピーと高速コピーとの両方を禁止するようにすることも可能である。しかし、等速コピーされたデジタルオーディオ信号以外のデジタルオーディオ信号についてまで、コピーが制限されたのでは、私的利用の範囲内の複製が制限されることになってしまう。
【０１１５】
そこで、前述した実施の形態においての高速コピーを行う場合と同じように、デジタルオーディオ信号の等速コピーが行なわれた場合、その等速コピーの終了後の一定期間は、同じデジタルオーディオ信号の等速コピーも高速コピーもできないように記録機能に制限を加えるようにする。
【０１１６】
このようにすることにより、コピーされたことのないデジタルオーディオ信号や、等速コピー終了後から一定時間経過後のデジタル情報信号については、コピーすることができるようにされるので、デジタルオーディオ信号の利用者の利便性が害されることもないようにすることができる。
【０１１７】
そして、等速コピーの場合、等速コピーの実行時間と、その後の一定期間とを合わせた期間が、目的とするデジタルオーディオ信号の標準再生時間よりも長い期間となるようにする。このようにすることによって、デジタルオーディオ信号を等速コピーする場合であって、同じデジタルオーディオ信号を連続してコピーする場合には、単に等速コピーを行うよりも長い時間が必要となるので、同じデジタルオーディオ信号をコピーした複数のＭＤを作成する、デジタルオーディオ信号の不正なコピーを防止することができる。
【０１１８】
なお、高速コピー、等速コピー、いずれの場合であっても、コピー終了後の一定期間が、目的とするデジタルオーディオ信号の標準再生時間よりも長い期間となるようにすることによって、等速コピーを行った後に、即座に同じデジタルオーディオ信号を高速コピーしたり、高速コピーを行った後に、即座に同じデジタルオーディオ信号を等速コピーすることができないようにすることができる。
【０１１９】
これにより、等速コピーと、高速コピーの選択が可能な場合であっても、等速コピーと、高速コピーとを交互に用いることにより、同じデジタルオーディオ信号をコピーしたＭＤを等速コピーのみを用いた場合や、高速コピーのみを用いた場合よりも、短時間に同じデジタルオーディオ信号が複製された複数の複製物を作成するようなデジタルオーディオ信号の不正な複製を防止することができる。
【０１２０】
また、コンテンツＩＤとして、同じデジタルオーディオ信号が記録されたＣＤごとに固有の識別情報を用いることによって、ＣＤ単位に前述したようなコピー終了後において、記録機能に制限を加えるようにすることができるし、また、ＣＤに記録されている楽曲毎など、デジタルオーディオ信号の１まとまり毎に固有の識別情報を用いることによって、楽曲などのＣＤに記録されている１まとまりのデジタルオーディオ信号毎に、コピー終了後において、記録機能に制限を加えるようにすることができる。
【０１２１】
また、前述の実施の形態においては、ＣＤからＭＤにコピーされるデジタルオーディオ信号のコンテンツＩＤは、ＩＳＲＣのようなＣＤに記録されている識別情報を用いるものとして説明したが、これに限るものではない。
【０１２２】
例えば、ＣＤには、デジタルデータが記録されている領域とは別の領域に同じデジタルオーディオ信号が記録されたＣＤか否かの識別が可能な情報がバーコード情報として付されている。このバーコードに情報を読み取って、コンテンツＩＤとし用いるようにすることもできる。すなわち、コンテンツＩＤは、デジタルオーディオ信号などのコピーしようとしている情報信号を識別することが可能な各種の情報を用いることができる。
【０１２３】
また、前述した実施の形態においては、ＣＤの再生装置と、ＭＤの記録再生装置により情報信号複製制御システムが構成されたものとして説明したが、これに限るものではない。例えば、ＭＤの再生装置あるいはＭＤの記録再生装置と、ＭＤの記録装置あるいはＭＤの記録再生装置とにより構成されるシステムや、ＤＶＤの再生装置と、ＭＤの記録装置あるいはＭＤの記録再生装置とにより構成されるシステムや、デジタルデータを送受する複数のコンピュータにより構成されるシステムなどの各種のシステムにこの発明を適用することができる。
【０１２４】
すなわち、情報信号を出力する各種の情報信号出力装置と、この情報信号出力装置からの情報信号の供給を受けて、これを記録媒体に記録する記録装置とからなる各種のシステムにこの発明を適用することができる。
【０１２５】
そして、例えば、ＭＤの再生装置とＭＤの記録装置とからなるシステムなどの場合、ＭＤに記録されているデジタルオーディオ信号は、データ圧縮されている。このようにデータ圧縮されたデジタルオーディオ信号を記録装置に供給し、データ圧縮されたままＭＤにコピーするようにすれば、データ圧縮されていないデジタルオーディオ信号をコピーする場合に比べ、高速にコピーを行うことができる。そして、データ圧縮率が高くなれば、より高速にデジタルデータのコピーが可能となる。
【０１２６】
したがって、デジタルオーディオ信号などの情報信号をその標準再生時間よりも短縮した時間でコピーするようにする高速コピーには、再生ドライブ速度や記録ドライブ速度を高速にして高速コピーを行う場合だけでなく、データ圧縮された情報信号を記録装置に供給し、データ圧縮されたまま記録媒体に記録する場合も含むものである。
【０１２７】
また、前述の実施の形態において、コンテンツＩＤや、標準再生時間などのコンテンツ関連情報は、高速バスのプロトコルにしたがって、デジタルデータとして記録再生装置に伝送するようにしたが、これに限るものではない。例えば、コンテンツ関連情報を電子透かし技術を用いて、電子透かし情報とし、この電子透かし情報とされたコンテンツ関連情報を、デジタルオーディオ信号などの情報信号に重畳して、情報信号を記録媒体に記録する記録装置に供給するようにしてもよい。
【０１２８】
ここで、電子透かし技術は、画像データや音楽データに存在する人間の知覚上の重要でない部分、すなわち、音楽や映像に対して冗長でない部分に、雑音として情報を埋め込む技術である。このような電子透かし技術により画像信号やオーディオ信号中に埋め込まれたコンテンツ関連情報などの付加情報は、その画像信号やオーディオ信号から除去されにくい。一方、画像信号やオーディオ信号についてフィルタリング処理やデータ圧縮処理をした後であっても、それらに埋め込まれた電子透かしの付加情報を画像信号やオーディオ信号中から検出することが可能である。
【０１２９】
このため、デジタルオーディオ信号などの情報信号を記録媒体に記録する記録装置や記録再生装置に、電子透かし情報とされたコンテンツ関連情報の抽出部を設けることにより、この電子透かし情報とされたコンテンツ関連情報のうちのコンテンツＩＤや標準再生時間を抽出し、抽出した情報を用いて、前述したように、デジタルオーディオ信号などの情報信号のコピー終了後において、一定期間、記録装置や記録再生装置の記録機能に制限を加えるようにすることができる。
【０１３０】
また、電子透かし情報は、除去や改ざんが難しいので、アナログ信号とされたオーディオ信号などの情報信号に電子透かし情報とされたコンテンツ関連情報を重畳して出力するようにすることによって、このアナログ信号が高速コピーされる場合にも、前述したように、コピー終了後において、一定期間、記録装置や記録再生装置の記録機能に制限を加えるようにすることができる。
【０１３１】
もちろん、デジタルオーディオ信号などのデジタル情報信号に電子透かし情報とされたコンテンツ関連情報を重畳するようにして出力するようにしてもよい。この場合にも、デジタル情報信号に電子透かし情報とされて重畳されているコンテンツ関連情報の抽出部を記録装置や記録再生装置に設けることにより、この電子透かし情報とされたコンテンツ関連情報のうちのコンテンツＩＤや標準再生時間を抽出し、抽出した情報を用いて、前述したように、デジタルオーディオ信号などの情報信号のコピー終了後において、一定期間、記録装置や記録再生装置の記録機能に制限を加えるようにすることができる。
【０１３２】
また、電子透かし情報とされたコンテンツ関連情報は、コンテンツ提供業者側において、ＣＤなどの記録媒体に情報信号を記録するオーサリング時に情報信号に重畳するようにしてもよい。また、再生装置において、抽出したコンテンツ関連情報を電子透かし情報にすると共に、この電子透かし情報とされたコンテンツ関連情報を記録装置に供給する情報信号に重畳して出力するようにしてもよい。
【０１３３】
また、前述の実施の形態の情報信号複製制御システムのように、ダビング機能を備え、再生装置において、ダビングのための情報信号の出力であることが明確に把握できる場合には、前述のような記録再生装置においての記録機能の制限を行う代わりに、再生装置において再生機能の制限を加えるようにすることもできる。
【０１３４】
すなわち、高速コピーなどを行うためにデジタルオーディオ信号などの情報信号を出力した場合には、同じ情報信号を一定期間、コピーを行うためには出力しないようにして、情報信号の不正な複製を防止するようにすることもできる。この場合には、再生装置にコピー履歴情報管理メモリやタイマを設け、前述したＭＤの記録再生装置２の場合と同じようにして、一定期間、再生機能に制限を加えるようにすればよい。
【０１３５】
また、前述の実施の形態においては、デジタルオーディオをコピーするものとして説明したが、情報信号は、デジタルオーディオ信号に限るものではなく、画像信号など、時間の経過に応じて、その内容が変化する各種の時系列信号や、コンピュタデータなどの様々な情報信号をコピーする場合にこの発明を適用することができる。
【０１３６】
また、ＳＣＭＳ方式やＣＧＭＳ方式などの複製世代制限をも併用するようにしてもよい。このようにすることにより、コピーされた情報信号をさらにコピーすることも防止されるので、情報信号の著作権者の利益を害するような、情報信号の不正なコピーをより確実に防止することができる。
【０１３７】
【発明の効果】
以上説明したように、請求項１に記載の発明の情報信号複製制限方法によれば、情報信号を高速コピーしても、その情報信号を等速コピーしたものとした場合の期間以上の期間が経過しなければ、記録機能に加えられた制限は解除されないので、短時間に同じ情報信号の複製物を大量に作成するなどの情報信号の不正な複製を確実に防止することができる。
【０１４０】
また、請求項２に記載の発明の情報信号複製制限方法によれば、短時間に同じ情報信号の複製物を大量に作成することはできないようにされるので、情報信号の著作権者の利益を害するような情報信号の不正な複製を防止することができる。また、一定時間経過後においては、既に複製した情報信号の再度の複製が可能となり、情報信号の利用者の利便性を害することがないようにすることができる。
【０１４１】
また、情報信号の識別情報は、複製終了後の一定期間記録装置に保持しておけばよいので、記録装置に保持される複製した情報信号の識別情報が無制限に増えることがないようにすることができる。したがって、識別情報を記憶するメモリとして容量の大きなメモリを搭載しなくても済み、管理する識別情報の少なくて済むので、情報信号を記録する記録装置の負荷が大きくなることがないようにすることができる。
【０１４２】
また、請求項４に記載の発明の情報信号複製制限方法によれば、複製終了後の一定期間内においては、情報信号の複製自体が禁止されるので、短時間に同じ情報信号の複製物を大量に作成することが確実にできないようにすることができる。これにより、情報信号の著作権者の利益を害するような情報信号の不正な複製を防止することができる。
【０１４３】
また、情報信号の識別情報は、複製終了後の一定時間経過後においては、記録機能の制限は解除され、情報信号の複製ができるようにされるので、私的利用の範囲内の複製は認められ、情報信号の利用者の利便性を害することもないようにすることができる。
【図面の簡単な説明】
【図１】この発明による情報信号複製制限方法が適用されたこの発明による情報信号複製制御システムの一実施の形態を説明するためのブロック図である。
【図２】図１に示した情報信号複製制御システムの記録再生装置において行われる高速コピー時の処理を説明するためのフローチャートである。
【符号の説明】
１…再生装置、１０…コントロール部、１１…再生ドライブ部、１２…データデコード部、１３…Ｄ／Ａコンバータ、１４…アナログオーディオ信号の出力端子、１５…コンテンツ関連情報抽出部、１６…デジタルインターフェース（デジタルＩ／Ｆ）、１７…デジタルデータの出力端子、１８…キー操作部、２…記録再生装置、２０…コントロール部、２１…デジタルデータの入力端子、２２…デジタルインターフェース（デジタルＩ／Ｆ）、２３…コンテンツ関連情報抽出部、２４…書き込み制御部、２５…データエンコード部、２６…記録／再生ドライブ部、２７…データデコード部、２８…Ｄ／Ａコンバータ、２９…アナログオーディオ信号の出力端子、３１…キー操作部、３２…コピー履歴情報管理メモリ、３３…タイマ（時計回路）、３…高速バス
【図１】
0004045388.tif 000002
【図２】
0004045388.tif 000003